(57)【要約】【課題】  雄端子との接触抵抗を低減し、大電流を低損失で安定的に流せ、ブレードの位置決めを正確に行える大電流用雌端子を提供する。【解決手段】  大電流用雌端子１００の本体部１１０は、受入空間１１１に対して高さ方向の少なくとも一方側において高さ方向に弾性変形するように設けられ且つ内面に所定幅にわたって接触部１１２ａが設けられた第１弾性片１１２と、受入空間に対して幅方向の少なくとも一方側において幅方向に弾性変形するように設けられ且つ内面に所定高さにわたって接触部１１３ａが設けられた第２弾性片１１３とを備える。ブレード２００が受入空間に挿入されると、ブレードの高さ方向の一方の端面２１０に第１弾性片の接触部が接触圧力をもって接触し、ブレードの幅方向の一方の端面２３０に第２弾性片の接触部が接触圧力をもって接触する。【選択図】  図１
2005166300.tif 000002
【特許請求の範囲】
【請求項１】
互いに直交する奥行き方向、幅方向及び高さ方向をとったときに、高さよりも大きな幅をもって奥行き方向の手前に延びるほぼ板状のブレードを備えたブレード形の雄端子のブレードが挿入、抜去される大電流用雌端子であって、
奥行き方向に延びる筒状に設けられ、奥側からブレードを受け入れる受入空間が内部に設けられた本体部と、
本体部の奥行き方向の手前に設けられ、導体を接続する接続部とを備え、
本体部は、受入空間に対して高さ方向の少なくとも一方側において高さ方向に弾性変形するように設けられ且つ内面に所定幅にわたって接触部が設けられた第１弾性片と、
受入空間に対して幅方向の少なくとも一方側において幅方向に弾性変形するように設けられ且つ内面に所定高さにわたって接触部が設けられた第２弾性片とを備え、
ブレードが受入空間に挿入されたときに、ブレードの高さ方向の一方の端面に第１弾性片の接触部が接触圧力をもって接触し、ブレードの幅方向の一方の端面に第２弾性片の接触部が接触圧力をもって接触するように構成した大電流用雌端子。
【請求項２】
本体部における受入空間に対して高さ方向の他方側には、内面に所定幅にわたって接触部が設けられた横壁が設けられ、ブレードが受入空間に挿入されたときに、ブレードの高さ方向の他方の端面に横壁の接触部が接触圧力をもって接触するように構成した請求項１の大電流用雌端子。
【請求項３】
本体部における受入空間に対して高さ方向の他方側には、高さ方向に弾性変形するように設けられ且つ内面に所定幅にわたって接触部が設けられた別の第１弾性片が設けられ、ブレードが受入空間に挿入されたときに、ブレードの高さ方向の他方の端面に、この第１弾性片の接触部が接触圧力をもって接触するように構成した請求項１の大電流用雌端子。
【請求項４】
本体部における受入空間に対して幅方向の他方側には、内面に所定高さにわたって接触部が設けられた縦壁が設けられ、ブレードが受入空間に挿入されたときに、ブレードの幅方向の他方の端面に縦壁の接触部が接触圧力をもって接触するように構成した請求項１ないし請求項３のうちいずれか１項の大電流用雌端子。
【請求項５】
本体部における受入空間に対して幅方向の他方側には、幅方向に弾性変形するように設けられ且つ内面に所定高さにわたって接触部が設けられた別の第２弾性片が設けられ、ブレードが受入空間に挿入されたときに、ブレードの幅方向の他方の端面に、この第２弾性片の接触部が接触圧力をもって接触するように構成した請求項１ないし請求項３のうちいずれか１項の大電流用雌端子。
【請求項６】
本体部が奥行き方向の奥側の端にある奥端部と手前側の端にある手前端部とに分割され、
奥端部を構成する奥端部構成壁と手前端部を構成する手前端部構成壁とが第１弾性片、第２弾性片又はこれら双方の弾性片によって連結されており、
奥端部構成壁と手前端部構成壁とを連結する弾性片は、中途部が受入空間に向かって接近するように屈曲しており、この屈曲部に接触部が設けられている請求項１ないし請求項５のうちいずれか１項の大電流用雌端子。
【請求項７】
第１弾性片が、幅方向に複数並べて設けられている請求項１ないし請求項６のうちいずれか１項の大電流用雌端子。
【請求項８】
請求項１ないし請求項７のうちいずれか１項の大電流用雌端子と、奥行き方向に延びて大電流用雌端子の本体部に外側から嵌合する筒状のシェルとを備えたシェル付き大電流用雌端子。
【発明の詳細な説明】
【技術分野】
【０００１】
本発明は雌端子の分野に属し、ほぼ板状のブレードを備えたブレード形の雄端子のブレードが挿入、抜去される大電流用雌端子に関する。
【背景技術】
【０００２】
特許文献１は、雄端子の端子ピンを嵌入する筒状接触部を備えた雌端子において、上記筒状接触部の端子ピン挿入端側の外周に環状の薄肉部を設け、薄肉部には適宜間隔をおいて筒状接触部の内面に突出する複数の突起を設けたことを特徴とする大電流用雌端子を開示している。
【０００３】
特許文献２は、棒状の雄端子が挿入される挿入孔を有するとともに、挿入孔の開口側に大径の収容部を連続的に形成した雌端子と、多数の弓なり状の板ばね片の一端側のみを連結させて、全体を上記雄端子の外径及び上記雌端子の挿入孔の内径に対応する略円筒状とするとともに、上記板ばね片の連結させた一端側に、板ばね片と直交する方向に突出し、上記雌端子の収容部奥壁に当接する固定リブを形成した接触ばね部材と、上記雄端子が挿通される挿通孔を有し、上記雌端子の収容部に取り付けられ、上記接触ばね部材の固定リブを挟持して、上記接触ばね部材を上記雌端子の挿入孔内に固定するキャップとを備えた大電流充電用端子を開示している。
【特許文献１】特開平１０−１１６６４４号公報
【特許文献２】特開平１１−６７３１０号公報
【発明の開示】
【発明が解決しようとする課題】
【０００４】
特許文献１の大電流用雌端子は、安定な接触抵抗が得られるが、突起が雄端子のピンと点接触するので、突起とピンとの接触面積が小さく、接触抵抗を充分低くすることができない。
【０００５】
特許文献２の大電流充電用端子は、接触ばね部材の板ばね片が雄端子の外径及び雌端子の挿入孔の内径に対応する略円筒状となるよう配置されるので、各板ばね片と雄端子とは点接触となって接触面積が小さくなることから、接触抵抗を充分低くすることができない。
【０００６】
本発明は、このような点に着目してなされたもので、その目的とするところは、ブレード形の雄端子のブレードが挿入、抜去される雌端子を対象とし、ブレードとの接触箇所を複数とし、各接触箇所の接触面積を大きくし、接触圧力を高くすることで雄端子との接触抵抗を確実に低減し、両端子間で大電流を低損失で安定的に流すことができ、また本体部におけるブレードの位置決めを正確に行うことができる大電流用雌端子を提供することにある。
【課題を解決するための手段】
【０００７】
上記目的を達成するため、請求項１は、互いに直交する奥行き方向、幅方向及び高さ方向をとったときに、高さよりも大きな幅をもって奥行き方向の手前に延びるほぼ板状のブレードを備えたブレード形の雄端子のブレードが挿入、抜去される大電流用雌端子である。この大電流用雌端子は、奥行き方向に延びる筒状に設けられ、奥側からブレードを受け入れる受入空間が内部に設けられた本体部と、本体部の奥行き方向の手前に設けられ、導体を接続する接続部とを備え、本体部は、受入空間に対して高さ方向の少なくとも一方側において高さ方向に弾性変形するように設けられ且つ内面に所定幅にわたって接触部が設けられた第１弾性片と、受入空間に対して幅方向の少なくとも一方側において幅方向に弾性変形するように設けられ且つ内面に所定高さにわたって接触部が設けられた第２弾性片とを備え、ブレードが受入空間に挿入されたときに、ブレードの高さ方向の一方の端面に第１弾性片の接触部が接触圧力をもって接触し、ブレードの幅方向の一方の端面に第２弾性片の接触部が接触圧力をもって接触するように構成している。
【０００８】
ブレードが受入空間に挿入されると、ブレードの高さ方向の一方の端面に第１弾性片の接触部が接触圧力をもって接触し、ブレードの高さ方向の他方の端面に本体部における受入空間に面する部分が接触圧力をもって接触する。またブレードの幅方向の一方の端面に第２弾性片の接触部が接触圧力をもって接触し、ブレードの幅方向の他方の端面に本体部における受入空間に面する部分が接触圧力をもって接触する。その場合、大電流用雌端子はブレードに対して第１弾性片の接触部及び第２弾性片の接触部を含む複数箇所で接触する。しかも、これらの接触部は点接触ではなく線接触ないしは面接触によりブレードに接触するので、大きな接触面積が得られる。さらに、弾性片の弾性復原力により接触部では高い接触圧力が得られる。そのため、雌端子と雄端子との接触抵抗が確実に低減され、両端子間で大電流が低損失で安定的に流れることになる。また、第１弾性片と、本体部における受入空間に面する部分とによりブレードが狭持され、第２弾性片と、本体部における受入空間に面する部分とによりブレードが狭持されるので、本体部におけるブレードの位置決めが正確に行われる。
【０００９】
請求項２の大電流用雌端子は、請求項１の大電流用雌端子において、本体部における受入空間に対して高さ方向の他方側には、内面に所定幅にわたって接触部が設けられた横壁が設けられ、ブレードが受入空間に挿入されたときに、ブレードの高さ方向の他方の端面に横壁の接触部が接触圧力をもって接触するように構成している。
【００１０】
このようにすれば、ブレードが受入空間に挿入されると、ブレードの高さ方向の一方の端面に第１弾性片の接触部が接触圧力をもって接触し、ブレードの高さ方向の他方の端面に本体部の横壁の接触部が接触圧力をもって接触する。
【００１１】
請求項３の大電流用雌端子は、請求項１の大電流用雌端子において、本体部における受入空間に対して高さ方向の他方側には、高さ方向に弾性変形するように設けられ且つ内面に所定幅にわたって接触部が設けられた別の第１弾性片が設けられ、ブレードが受入空間に挿入されたときに、ブレードの高さ方向の他方の端面に、この第１弾性片の接触部が接触圧力をもって接触するように構成している。
【００１２】
このようにすれば、ブレードが受入空間に挿入されると、ブレードの高さ方向の両端面に第１弾性片の接触部がそれぞれ接触圧力をもって接触する。
【００１３】
請求項４の大電流用雌端子は、請求項１ないし請求項３のうちいずれか１項の大電流用雌端子において、本体部における受入空間に対して幅方向の他方側には、内面に所定高さにわたって接触部が設けられた縦壁が設けられ、ブレードが受入空間に挿入されたときに、ブレードの幅方向の他方の端面に縦壁の接触部が接触圧力をもって接触するように構成している。
【００１４】
このようにすれば、ブレードが受入空間に挿入されると、ブレードの幅方向の一方の端面に第２弾性片の接触部が接触圧力をもって接触し、ブレードの幅方向の他方の端面に本体部の縦壁の接触部が接触圧力をもって接触する。
【００１５】
請求項５の大電流用雌端子は、請求項１ないし請求項３のうちいずれか１項の大電流用雌端子において、本体部における受入空間に対して幅方向の他方側には、幅方向に弾性変形するように設けられ且つ内面に所定高さにわたって接触部が設けられた別の第２弾性片が設けられ、ブレードが受入空間に挿入されたときに、ブレードの幅方向の他方の端面に、この第２弾性片の接触部が接触圧力をもって接触するように構成している。
【００１６】
このようにすれば、ブレードが受入空間に挿入されると、ブレードの幅方向の両端面に第２弾性片の接触部がそれぞれ接触圧力をもって接触する。
【００１７】
請求項６の大電流用雌端子は、請求項１ないし請求項５のうちいずれか１項の大電流用雌端子において、本体部が奥行き方向の奥側の端にある奥端部と手前側の端にある手前端部とに分割され、奥端部を構成する奥端部構成壁と手前端部を構成する手前端部構成壁とが第１弾性片、第２弾性片又はこれら双方の弾性片によって連結されており、奥端部構成壁と手前端部構成壁とを連結する弾性片は、中途部が受入空間に向かって接近するように屈曲しており、この屈曲部に接触部が設けられている。
【００１８】
このようにすれば、弾性片が両端で本体部に支持されているので、例えば一端のみが本体部に支持された片持ちの弾性片に較べると、弾性片の奥行き方向の長さがほぼ同じであれば、接触部で得られる接触圧力が高くなる。また、奥端部構成壁と、第１弾性片、第２弾性片又はこれら双方の弾性片と、手前端部構成壁とが切れ目無く連続するので、ブレードの挿入、抜去が引っ掛かりなくスムーズに行われる。さらに、第１弾性片、第２弾性片又はこれら双方の弾性片の外側には本体部の構成壁がないので、大電流用雌端子の高さ、幅又は両方を小さくすることができる。
【００１９】
請求項７の大電流用雌端子は、請求項１ないし請求項６のうちいずれか１項の大電流用雌端子において、第１弾性片が、幅方向に複数並べて設けられている。
【００２０】
このようにすれば、ブレードの高さ方向の端面が幅方向に若干傾斜していても、この傾斜に追従して複数の第１弾性片の接触部がそれぞれブレードの端面に良好に接触する。
【００２１】
請求項８のシェル付き大電流用雌端子は、請求項１ないし請求項７のうちいずれか１項の大電流用雌端子と、奥行き方向に延びて大電流用雌端子の本体部に外側から嵌合する筒状のシェルとを備えている。
【００２２】
このシェル付き大電流用雌端子からは、請求項１ないし請求項７で得られた作用と同様の作用が得られる。このシェル付き大電流用雌端子はブレードに対して大きな接触面積で接触すると共に高い接触圧力で接触する。その場合、シェルによって大電流用雌端子の変形が規制されるので、接触片が予定どおりの機能を発揮し、接触部がブレードに対して高い接触圧力でもって接触する。また、弾性片が過大に変形したときにシェルがこれを規制して弾性片の塑性変形、破損が防止される。さらに、シェルによって内部の弾性片が外力から保護される。また、シェルに例えば外側へ立ち上がる突片を設け、ハウジングに、シェル付き大電流用雌端子を収容する収容室と突片をガイドするガイド溝を設ければ、シェル付き大電流用雌端子をハウジングに挿入するときに高さ方向や奥行き方向に向きがあっていない状態でハウジングに挿入してしまう逆差しや本来相手側部材ではないハウジングに挿入してしまう誤挿入などを防止する機能が発揮される。
【発明の効果】
【００２３】
請求項１の大電流用雌端子は、ブレードとの接触箇所を複数とし、各接触箇所の接触面積を大きくし、接触圧力を高くできるので、雄端子との接触抵抗を確実に低減し、両端子間で大電流を低損失で安定的に流すことができると共に、本体部におけるブレードの位置決めを正確に行うことができる。
【００２４】
請求項２のようにすれば、受入空間に対して高さ方向の一方側にのみ第１弾性片が設けられているので、構造が比較的簡単になる。
【００２５】
請求項３のようにすれば、受入空間に対して高さ方向の両側に第１弾性片が設けられているので、第１弾性片の弾性変形量を比較的小さく抑えることができる。
【００２６】
請求項４のようにすれば、受入空間に対して幅方向の一方側にのみ第２弾性片が設けられているので、構造が比較的簡単になる。
【００２７】
請求項５のようにすれば、受入空間に対して幅方向の両側に第２弾性片が設けられているので、第２弾性片の弾性変形量を比較的小さく抑えることができる。
【００２８】
請求項６のようにすれば、奥端部構成壁と手前端部構成壁とが第１弾性片、第２弾性片又はこれら双方の弾性片によって連結されるので、弾性片を両端で本体部に支持することで接触部で得られる接触圧力が高くなり、ブレードの挿入、抜去を引っ掛かりなくスムーズに行うことができ、大電流用雌端子の高さ、幅又は両方を小さくすることができる。
【００２９】
請求項７のようにすれば、ブレードの高さ方向の端面が幅方向に若干傾斜していても、この傾斜に追従して複数の第１弾性片の接触部がそれぞれブレードの端面に良好に接触するので、接触状態が安定する。
【００３０】
請求項８のシェル付き大電流用雌端子からは、請求項１ないし請求項７で得られた効果と同様の効果が得られる。さらに、シェルによって大電流用雌端子の変形が規制されるので、接触片が予定どおりの機能を発揮し、接触部がブレードに対して高い接触圧力でもって接触する。また、弾性片が過大に変形したときにシェルがこれを規制して弾性片の塑性変形、破損が防止される。さらに、シェルによって内部の弾性片が外力から保護される。また、逆差し防止、誤挿入防止の機能を発揮させることができ、この機能が要望されたときに大電流用雌端子自体は設計変更せず、これに嵌合するシェルを設計又は選択することで要望に応えることができる。
【発明を実施するための最良の形態】
【００３１】
以下、本発明の実施の形態を説明する。図１ないし図１２は本発明の第１の実施形態である大電流用雌端子１００を示す。互いに直交する奥行き方向、幅方向及び高さ方向を想定し、これらの方向付けを利用して説明する。この実施形態の場合、図３で説明すれば、図の左右方向が奥行き方向であり、図の左方が奥行き方向の奥、右方が奥行き方向の手前である。また、図の紙面に垂直な方向が高さ方向であり、図の上下方向が幅方向である。
【００３２】
図１に示すように、この大電流用雌端子１００には、ブレード形の雄端子（本体は図示を省略）のブレード２００が挿入、抜去される。このブレード２００は高さよりも大きな幅をもって奥行き方向の奥から手前に向かって延びるほぼ板状に形成されている。大電流用雌端子１００は導電性の材料で形成されている。大電流用雌端子１００は、奥行き方向に延びる筒状に設けられ、奥側からブレード２００を受け入れる受入空間１１１が内部に設けられた本体部１１０と、本体部１１０の奥行き方向の手前に設けられ、導体を接続する接続部１２０とを備えている。この実施形態の場合、導体は電線であり、接続部１２０は電線の被覆をかしめて圧着接続するインシュレーションバレルと電線の芯線をかしめて圧着接続するワイヤバレルとを備えるが、接続部の他の例としては電線を圧入すると電線の絶縁被覆を破って導体との接続を行う圧接スロットを備えたものがある。また、導体は電線に限定されるものではなく、例えばＦＦＣ（フレキシブル・フラット・ケーブル）の導体であってもよく、そのときは接続部として例えばピアシングを行う突起部を備えるものがある。
【００３３】
本体部１１０には、受入空間１１１に対して高さ方向の少なくとも一方側に、第１弾性片１１２が高さ方向に弾性変形するように設けられている。第１弾性片１１２の内面には所定幅にわたって接触部１１２ａが設けられている。内面とは、本体部１１０にブレード２００を挿入したときにブレード２００に接触する側の面である。所定幅は、第１弾性片１１２の幅と同一の寸法か、それよりも短い寸法で設定される。第１弾性片１１２は、幅方向に延びる短辺と奥行き方向に延びる長辺とで高さ方向からみてほぼ矩形状に形成され且つ高さ方向に厚みをもつ板状に形成されているが、これによって本発明の第１弾性片の形状が限定されるものではない。接触部１１２ａの奥行き方向の長さは適宜に定められる。また、本体部１１０には、受入空間１１１に対して幅方向の少なくとも一方側に、第２弾性片１１３が幅方向に弾性変形するように設けられている。第２弾性片１１３の内面には所定高さにわたって接触部１１３ａが設けられている。内面とは、本体部１１０にブレード２００を挿入したときにブレード２００に接触する側の面である。所定高さは、第２弾性片１１３の高さと同一の寸法か、それよりも短い寸法で設定される。第２弾性片１１３は、高さ方向に延びる短辺と奥行き方向に延びる長辺とで幅方向からみてほぼ矩形状に形成され且つ幅方向に厚みをもつ板状に形成されているが、これによって本発明の第２弾性片の形状が限定されるものではない。接触部１１３ａの奥行き方向の長さは適宜に定められる。そして、ブレード２００が受入空間１１１に挿入されたときに、ブレード２００の高さ方向の一方の端面２１０に第１弾性片１１２の接触部１１２ａが接触圧力をもって接触し、ブレード２００の幅方向の一方の端面２３０に第２弾性片１１３の接触部１１３ａが接触圧力をもって接触するように構成している。
【００３４】
本体部１１０における受入空間１１１に対して高さ方向の他方側には、別の第１弾性片１１２が高さ方向に弾性変形するように設けられている。第１弾性片１１２の内面には所定幅にわたって接触部１１２ａが設けられている。そして、ブレード２００が受入空間１１１に挿入されたときに、ブレード２００の高さ方向の他方の端面２２０に、この第１弾性片１１２の接触部１１２ａが接触圧力をもって接触するように構成している。内面及び所定幅の意義は先に説明したとおりである。
【００３５】
本体部１１０における受入空間１１１に対して幅方向の他方側には、別の第２弾性片１１３が幅方向に弾性変形するように設けられている。第２弾性片１１３の内面には所定高さにわたって接触部１１３ａが設けられている。そして、ブレード２００が受入空間１１１に挿入されたときに、ブレード２００の幅方向の他方の端面２４０に、この第２弾性片１１３の接触部１１３ａが接触圧力をもって接触するように構成している。内面及び所定高さの意義は先に説明したとおりである。
【００３６】
本体部１１０は奥行き方向の奥側の端にある奥端部１１０ａと手前側の端にある手前端部１１０ｂとに分割されている。奥端部１１０ａを構成する奥端部構成壁と手前端部１１０ｂを構成する手前端部構成壁とが第１弾性片１１２、第２弾性片１１３又はこれら双方の弾性片１１２、１１３によって連結されている。奥端部構成壁と手前端部構成壁とを連結する弾性片１１２、１１３は、中途部が受入空間１１１に向かって接近するように屈曲しており、この屈曲部に接触部１１２ａ、１１３ａが設けられている。
【００３７】
第１弾性片１１２は、幅方向に複数並べて設けられている。大電流用雌端子１００は、図１２に示すように所定形状に形成された１枚の原板を折り曲げて形成される。しかし、本発明の大電流用雌端子は複数の部材で構成してもよく、この実施形態によって構造、製造方法が限定されるものではない。
【００３８】
次に、第１の実施形態の大電流用雌端子１００の作用及び効果を説明する。図１１に示すように、ブレード２００が受入空間１１１に挿入されると、ブレード２００の高さ方向の一方の端面２１０に第１弾性片１１２の接触部１１２ａが接触圧力をもって接触し、ブレード２００の高さ方向の他方の端面２２０に本体部１１０における受入空間１１１に面する部分が接触圧力をもって接触する。またブレード２００の幅方向の一方の端面２３０に第２弾性片１１３の接触部１１３ａが接触圧力をもって接触し、ブレード２００の幅方向の他方の端面２４０に本体部１１０における受入空間１１１に面する部分が接触圧力をもって接触する。その場合、大電流用雌端子１００はブレード２００に対して第１弾性片１１２の接触部１１２ａ及び第２弾性片１１３の接触部１１３ａを含む複数箇所で接触する。しかも、これらの接触部１１２ａ、１１３ａは点接触ではなく線接触ないしは面接触によりブレード２００に接触するので、大きな接触面積が得られる。さらに、弾性片１１２、１１３の弾性復原力により接触部１１２ａ、１１３ａでは高い接触圧力が得られる。そのため、大電流用雌端子１００と雄端子との接触抵抗が確実に低減され、両端子間で大電流が低損失で安定的に流れることになる。また、第１弾性片１１２と、本体部１１０における受入空間１１１に面する部分とによりブレード２００が狭持され、第２弾性片１１３と、本体部１１０における受入空間１１１に面する部分とによりブレード２００が狭持されるので、本体部１１０におけるブレード２００の位置決めが正確に行われる。
【００３９】
本発明は、本体部に、受入空間に対して高さ方向の一方の側にのみ、高さ方向に弾性変形するように設けられ且つ内面に所定幅にわたって接触部が設けられた第１弾性片を設けた実施形態を含む。これに対して、第１実施形態の場合、さらに、本体部１１０における受入空間１１１に対して高さ方向の他方側には、高さ方向に弾性変形するように設けられ且つ内面に所定幅にわたって接触部１１２ａが設けられた別の第１弾性片１１２が設けられ、ブレード２００が受入空間１１１に挿入されたときに、ブレード２００の高さ方向の他方の端面２２０に、この第１弾性片１１２の接触部１１２ａが接触圧力をもって接触するように構成している。このようにすれば、ブレード２００が受入空間１１１に挿入されると、ブレード２００の高さ方向の両端面２１０、２２０に第１弾性片１１２の接触部１１２ａがそれぞれ接触圧力をもって接触する。よって第１弾性片１１２の弾性変形量を比較的小さく抑えることができる。
【００４０】
本発明は、本体部に、受入空間に対して幅方向の一方の側にのみ、幅方向に弾性変形するように設けられ且つ内面に所定高さにわたって接触部が設けられた第２弾性片を設けた実施形態を含む。これに対して、第１実施形態の場合、さらに、本体部１１０における受入空間１１１に対して幅方向の他方側には、幅方向に弾性変形するように設けられ且つ内面に所定高さにわたって接触部１１３ａが設けられた別の第２弾性片１１３が設けられ、ブレード２００が受入空間１１１に挿入されたときに、ブレード２００の幅方向の他方の端面２４０に、この第２弾性片１１３の接触部１１３ａが接触圧力をもって接触するように構成している。このようにすれば、ブレード２００が受入空間１１１に挿入されると、ブレード２００の幅方向の両端面２３０、２４０に第２弾性片１１３の接触部１１３ａがそれぞれ接触圧力をもって接触する。よって第２弾性片１１３の弾性変形量を比較的小さく抑えることができる。
【００４１】
本発明は、本体部を分割せずに一体的に設け、この本体部の内部に第１弾性片、第２弾性片又はこれら双方の弾性片を設けた実施形態を含む。これに対して、第１実施形態の場合、本体部１１０が奥行き方向の奥側の端にある奥端部１１０ａと手前側の端にある手前端部１１０ｂとに分割され、奥端部１１０ａを構成する奥端部構成壁と手前端部１１０ｂを構成する手前端部構成壁とが第１弾性片１１２、第２弾性片１１３又はこれら双方の弾性片によって連結されており、奥端部構成壁と手前端部構成壁とを連結する弾性片１１２、１１３は、中途部が受入空間１１１に向かって接近するように屈曲しており、この屈曲部に接触部１１２ａ、１１３ａが設けられている。このようにすれば、第１弾性片１１２、第２弾性片１１３が両端で本体部１１０に支持されているので、例えば一端のみが本体部に支持された片持ちの弾性片に較べると、弾性片の奥行き方向の長さがほぼ同じであれば、接触部１１２ａ、１１３ａで得られる接触圧力が高くなる。また、奥端部構成壁と、第１弾性片１１２、第２弾性片１１３又はこれら双方の弾性片と、手前端部構成壁とが切れ目無く連続するので、ブレード２００の挿入、抜去が引っ掛かりなくスムーズに行われる。さらに、第１弾性片１１２、第２弾性片１１３又はこれら双方の弾性片の外側には本体部１１０の構成壁がないので、大電流用雌端子１００の高さ、幅又は両方を小さくすることができる。
【００４２】
本発明は、受入空間に対して高さ方向の一方側に単一の第１弾性片を設けた実施形態、受入空間に対して高さ方向の両側にそれぞれ単一の第１弾性片を設けた実施形態を含む。これに対して、第１実施形態の場合、第１弾性片１１２が、幅方向に複数並べて設けられている。このようにすれば、ブレード２００の高さ方向の端面２１０、２２０が幅方向に若干傾斜していても、この傾斜に追従して複数の第１弾性片１１２の接触部１１２ａがそれぞれブレード２００の端面２１０、２２０に良好に接触し、接触状態が安定する。
【００４３】
次に、本発明の大電流用雌端子の他の実施形態を説明する。第１実施形態と同様の構成については同一符号を付して説明を省略し、異なる構成について説明することにする。図１３ないし図１７は、第２の実施形態としてシェル付き大電流用雌端子を示す。このシェル付き大電流用雌端子は、第１実施形態の大電流用雌端子１００と、奥行き方向に延びて本体部１１０に外側から嵌合する筒状のシェル３００とを備えている。このシェル３００には、第１弾性片１１２の屈曲部及び第２弾性片１１３の屈曲部に対応する部位からこれらの屈曲部に向かって立ち上がる突起３１０が設けられており、この突起３１０が第１弾性片１１２及び第２弾性片１１３の過変形を防止している。
【００４４】
このシェル付き大電流用雌端子からは、第１実施形態で得られた作用及び効果と同様の作用及び効果が得られる。このシェル付き大電流用雌端子はブレード２００に対して大きな接触面積で接触すると共に高い接触圧力で接触する。その場合、シェル３００によって大電流用雌端子１００の変形が規制されるので、第１接触片１１２、第２接触片１１３が予定どおりの機能を発揮し、接触部１１２ａ、１１３ａがブレード２００に対して高い接触圧力でもって接触する。また、第１接触片１１２、第２接触片１１３が過大に変形したときにシェル３００がこれを規制して第１接触片１１２、第２接触片１１３の塑性変形、破損が防止される。さらに、シェルによって内部の第１弾性片１１２、第２弾性片１１３が外力から保護される。また、図１３及び図１５に示すように、シェル３００に例えば外側へ立ち上がる突片３２０を設け、ハウジング（図示を省略）に、シェル付き大電流用雌端子を収容する収容室と突片３２０をガイドするガイド溝を設ければ、シェル付き大電流用雌端子をハウジングに挿入するときに高さ方向や奥行き方向に向きがあっていない状態でハウジングに挿入してしまう逆差しや本来相手側部材ではないハウジングに挿入してしまう誤挿入などを防止する機能が発揮される。その場合、この機能が要望されたときに大電流用雌端子自体は設計変更せず、これに嵌合するシェル３００を設計又は選択することで要望に応えることができる。
【００４５】
図１８ないし図２０は、第３の実施形態である大電流用雌端子１００を示す。第１実施形態の大電流用雌端子１００の場合、本体部１１０における受入空間１１１に対して高さ方向の他方側に、高さ方向に弾性変形するように設けられ且つ内面に所定幅にわたって接触部１１２ａが設けられた別の第１弾性片１１２を設けた。これに対して、第３実施形態の場合、本体部１１０における受入空間１１１に対して高さ方向の他方側には、内面に所定幅にわたって接触部１１４ａが設けられた横壁１１４が設けられ、ブレード２００が受入空間１１１に挿入されたときに、ブレード２００の高さ方向の他方の端面２２０に横壁１１４の接触部１１４ａが接触圧力をもって接触するように構成している。内面とは、本体部１１０にブレード２００を挿入したときにブレード２００に接触する側の面である。接触部１１４ａは平板状の横壁１１４の内面の一部の領域で形成してもよいが、接触圧力を上げて接点を確定するためには、接触部１１４ａは受入空間１１１に向かって突出させて設けることが好ましい。接触部１１４ａの奥行き方向の長さは適宜に定められる。
【００４６】
第３実施形態の大電流用雌端子１００の場合、図２０に示すように、ブレード２００が受入空間１１１に挿入されると、ブレード２００の高さ方向の一方の端面２１０に第１弾性片１１２の接触部１１２ａが接触圧力をもって接触し、ブレード２００の高さ方向の他方の端面２２０に本体部１１０の横壁１１４の接触部１１４ａが接触圧力をもって接触する。この大電流用雌端子１００からは、第１実施形態で得られた作用及び効果と同様の作用及び効果が得られると共に、受入空間１１１に対して高さ方向の一方側にのみ第１弾性片１１２が設けられているので、構造が比較的簡単になる。
【００４７】
図２１ないし図２３は、第４の実施形態である大電流用雌端子１００を示す。この第４実施形態の場合、本体部１１０における受入空間１１１に対して幅方向の他方側には、内面に所定高さにわたって接触部１１５ａが設けられた縦壁１１５が設けられ、ブレード２００が受入空間１１１に挿入されたときに、ブレード２００の幅方向の他方の端面２４０に縦壁１１５の接触部１１５ａが接触圧力をもって接触するように構成している。内面とは、本体部１１０にブレード２００を挿入したときにブレード２００に接触する側の面である。接触部１１５ａは平板状の縦壁１１５の内面の一部の領域で形成してもよいが、接触圧力を上げて接点を確定するためには、接触部１１５ａは受入空間１１１に向かって突出させて設けることが好ましい。接触部１１５ａの奥行き方向の長さは適宜に定められる。
【００４８】
第４実施形態の大電流用雌端子１００の場合、図２３に示すように、ブレード２００が受入空間１１１に挿入されると、ブレード２００の幅方向の一方の端面２３０に第２弾性片１１３の接触部１１３ａが接触圧力をもって接触し、ブレード２００の幅方向の他方の端面２４０に本体部１１０の縦壁１１５の接触部１１５ａが接触圧力をもって接触する。この大電流用雌端子１００からは、第１実施形態で得られた作用及び効果と同様の作用及び効果が得られると共に、受入空間１１１に対して幅方向の一方側にのみ第２弾性片１１３が設けられているので、構造が比較的簡単になる。
【００４９】
以上の実施形態では、本体部１１０と第１弾性片１１２及び第２弾性片１１３とを奥行き方向にずらして設けたが、本体部のなかに第１弾性片、第２弾性片又は双方の弾性片を設けてもよい。上記実施形態では第１弾性片１１２及び第２弾性片１１３を、その奥側の端と手前側の端とで本体部１１０に連結したが、弾性片の一方の端を本体部に連結し、他方の端を自由端にしてもよい。また、例えば弾性片にＵ字状の折り曲げ部を設けるなど、雌端子の弾性片として公知の構造を採用してもよい。上記実施形態では弾性片１１２、１１３の中途部に屈曲部を設け、この屈曲部に接触部１１２ａ、１１３ａを設けたが、１つの弾性片に奥行き方向に沿って複数の屈曲部を設け、これらの屈曲部にそれぞれ接触部を設けてもよい。所定幅、所定高さは、第１弾性片、第２弾性片、横壁、縦壁における接触部の長さとしてそれぞれ任意に定められる寸法であり、文言の一致をもって寸法の一致を意味するものではない。
【図面の簡単な説明】
【００５０】
【図１】第１実施形態の大電流用雌端子を雄端子のブレードと共に示す斜視図である。
【図２】第１実施形態の大電流用雌端子を雄端子のブレードと共に示す斜視図である。図１の場合とは異なる方向からみている。
【図３】第１実施形態の大電流用雌端子を高さ方向の一方からみた平面図である。
【図４】第１実施形態の大電流用雌端子を高さ方向の他方からみた底面図である。
【図５】第１実施形態の大電流用雌端子を幅方向の一方からみた側面図である。
【図６】第１実施形態の大電流用雌端子を幅方向の他方からみた側面図である。
【図７】第１実施形態の大電流用雌端子を奥行きの奥からみた正面図である。
【図８】第１実施形態の大電流用雌端子を高さ方向に向いた面で切断して高さ方向の一方からみた断面図である。
【図９】第１実施形態の大電流用雌端子を幅方向に向いた面で切断して幅方向の一方からみた断面図である。
【図１０】第１実施形態の大電流用雌端子を奥行き方向に向いた面で切断して奥行き方向の手前からみた拡大断面図である。
【図１１】第１実施形態の大電流用雌端子にブレードを挿入したときに、これらを奥行き方向に向いた面で切断して奥行き方向の手前からみた拡大断面図である。
【図１２】第１実施形態の大電流用雌端子の原板の縮小平面図である。原板は未だ桟から切り離されていない。
【図１３】第２実施形態のシェル付き大電流用雌端子の斜視図である。
【図１４】第２実施形態のシェル付き大電流用雌端子の斜視図である。図１３の場合とは異なる方向からみている。
【図１５】第２実施形態のシェル付き大電流用雌端子を幅方向の一方からみた側面図である。
【図１６】第２実施形態のシェル付き大電流用雌端子を高さ方向に向いた面で切断して高さ方向の一方からみた断面図である。
【図１７】第２実施形態のシェル付き大電流用雌端子を幅方向に向いた面で切断して幅方向の一方からみた断面図である。
【図１８】第３実施形態の大電流用雌端子を雄端子のブレードと共に示す斜視図である。
【図１９】第３実施形態の大電流用雌端子を奥行き方向に向いた面で切断して奥行き方向の手前からみた拡大断面図である。
【図２０】第３実施形態の大電流用雌端子にブレードを挿入したときに、これらを奥行き方向に向いた面で切断して奥行き方向の手前からみた拡大断面図である。
【図２１】第４実施形態の大電流用雌端子を雄端子のブレードと共に示す斜視図である。
【図２２】第４実施形態の大電流用雌端子を奥行き方向に向いた面で切断して奥行き方向の手前からみた拡大断面図である。
【図２３】第４実施形態の大電流用雌端子にブレードを挿入したときに、これらを奥行き方向に向いた面で切断して奥行き方向の手前からみた拡大断面図である。
【符号の説明】
【００５１】
１００    大電流用雌端子
１１０    本体部
１１０ａ  奥端部
１１０ｂ  手前端部
１１１    受入空間
１１２    第１弾性片
１１２ａ  接触部
１１３    第２弾性片
１１３ａ  接触部
１１４    横壁
１１４ａ  接触部
１１５    縦壁
１１５ａ  接触部
１２０    接続部
２００    ブレード
２１０    高さ方向の一方の端面
２２０    高さ方向の他方の端面
２３０    幅方向の一方の端面
２４０    幅方向の他方の端面
３００    シェル
【図１】
2005166300.tif 000003
【図２】
2005166300.tif 000004
【図３】
2005166300.tif 000005
【図４】
2005166300.tif 000006
【図５】
2005166300.tif 000007
【図６】
2005166300.tif 000008
【図７】
2005166300.tif 000009
【図８】
2005166300.tif 000010
【図９】
2005166300.tif 000011
【図１０】
2005166300.tif 000012
【図１１】
2005166300.tif 000013
【図１２】
2005166300.tif 000014
【図１３】
2005166300.tif 000015
【図１４】
2005166300.tif 000016
【図１５】
2005166300.tif 000017
【図１６】
2005166300.tif 000018
【図１７】
2005166300.tif 000019
【図１８】
2005166300.tif 000020
【図１９】
2005166300.tif 000021
【図２０】
2005166300.tif 000022
【図２１】
2005166300.tif 000023
【図２２】
2005166300.tif 000024
【図２３】
2005166300.tif 000025